(57)【特許請求の範囲】
【請求項１】
直方体形状のベース（１）の上面において横幅中央部に収容溝（１４）を前後に沿って設け、ベース（１）の前面において横幅中央部には前方に突出する不動顎（１１）を収容溝（１４）の前方空間よりも下側に備え、ベース（１）には不動顎（１１）に対向する可動顎（２）を収容溝（１４）の前方空間内で上下動可能に収容し、可動顎（２）の後部にスライダー（２２）を垂下し、スライダー（２２）を案内するガイド孔（１６）を収容溝（１４）に連通する状態でベース（１）に形成し、ベース（１）に揺動レバー（３）を収容溝（１４）の後方空間内で上下に揺動可能にピン（４）で支持し、揺動レバー（３）の揺動を可動顎（２）の上下動に変換する変換部（６）を、可動顎（２）の後部と揺動レバー（３）の前端部に設け、揺動レバー（３）を押し上げるスプリング（５）を収容溝（１４）内であって揺動レバー（３）の後部とベース（１）の間に介在することを特徴とする測定用クランプ。
【請求項２】
可動顎（２）の後部の左右端部を、可動顎（２）の前部および揺動レバー（３）よりも左右に突出することによってスライダー（２２）の一部とし、スライダー（２２）を上下に幅広に形成することを特徴とする請求項１記載の測定用クランプ。
【請求項３】
収容溝（１４）の後方空間の横幅を前方空間よりも広げると共に指先幅相当に形成することを特徴とする請求項２記載の測定用クランプ。
【発明の詳細な説明】
【技術分野】
【０００１】
本発明は、複数の座面を備えた測定用クランプに関する。
【背景技術】
【０００２】
クランプは、測定用に限らず、加工用のものなど、色々な種類がある。ワークが良品か不良品かを判別するときなど、ワークの形状が薄肉であったり、湾曲するなど複雑な形状をしている場合、測定用クランプでワークを挟持し、他の計測器を用いてワークの寸法を測定する方法がある。
【０００３】
通常、クランプの座面は底面であるが、底面以外の面、即ち、側面、上面、背面が座面となれば、ワークの三次元の寸法を測定しやすい。
【０００４】
出願に先立って特許調査を行ったが、複数の座面を備えることを目的とした特許出願を発見できなかった。複数の座面とすることが可能な従来公知のクランプとしては、横に寝かせた薄いＬ型のブロックに可動用バイスを往復動可能に設けたものを発見した(特許文献１)。
【特許文献１】特開２００２−２０５２６３号公報
【０００５】
しかし、公知のクランプは、ワークを挟むつど可動用バイスを作業者が移動させ、そのうえ可動用バイスをＬ型ブロックにネジ留めせねばならず、操作性が悪い。ワークが薄肉物である場合、例えば携帯電話の部品などのように0.05〜1.30ｍｍ程度のものである場合、作業性の悪さは、測定に時間がかかることになる。
【発明の開示】
【発明が解決しようとする課題】
【０００６】
本発明は上記実情を考慮して創作されたもので、その解決課題は、座面を出来る限り多く備えながらも、ワークを挟む際の操作性を向上することである。
【課題を解決するための手段】
【０００７】
本発明の測定用クランプは、直方体形状のベースの上面において横幅中央部に収容溝を前後に沿って設け、ベースの前面において横幅中央部には前方に突出する不動顎を収容溝の前方空間よりも下側に備え、ベースには不動顎に対向する可動顎を収容溝の前方空間内で上下動可能に収容し、可動顎の後部にスライダーを垂下し、スライダーを案内するガイド孔を収容溝に連通する状態でベースに形成し、ベースに揺動レバーを収容溝の後方空間内で上下に揺動可能にピンで支持し、揺動レバーの揺動を可動顎の上下動に変換する変換部を、可動顎の後部と揺動レバーの前端部に設け、揺動レバーを押し上げるスプリングを収容溝内であって揺動レバーの後部とベースの間に介在することを特徴とする。
【０００８】
ベースを小型化するほど、ガイド孔に沿って移動するスライダーの直進性（上下動の正確さ）は不安定となる。それにも関わらず、直進性を安定させるには、次のようにすることが望ましい。
即ち、可動顎の後部の左右端部を、可動顎の前部および揺動レバーよりも左右に突出することによってスライダーの一部とし、スライダーを上下に幅広に形成することである。
【０００９】
さらに、ベースを小型化するほど、座面の確保、ピンの左右端部の支持領域、揺動レバーの摘み易さが困難となってくる。それを解消するには、次のようにすることが望ましい。
即ち、収容溝の後方空間の横幅を前方空間よりも広げると共に指先幅相当に形成することである。
【発明の効果】
【００１０】
本発明は、ベースの収容溝に可動顎、揺動レバー、スプリングを収容し、直方体形状のベースの前面に不動顎を前方に突出するので、前面以外の五面を座面にでき、ワークをクランプしたまま多様な姿勢で測定することができる。また、不動顎、及び可動顎をベースに対して横幅中央部に設けてあるので、これら顎の左右に相当するベースの前面は面一となっている。それ故、幅広のワークをこれら顎にクランプするときに、ワークの端面を前面に押し当てれば、端面が位置決めされ、ベースの前面がワークの測長の基準面となる。さらに、ベースの上面は、横幅中央部に収容溝をあけるので、左右側部においては前後の全長に亘って座面が形成されるので、座面としての安定性を向上できる。
【００１１】
また、可動顎の後部の左右端部を、可動顎の前部および揺動レバーよりも左右に突出することによってスライダーの一部とし、スライダーを上下に幅広に形成すれば、ベースを小型化してもスライダーの直進性を確保でき、安定してワークをクランプできる。
【００１２】
さらに、収容溝の後方空間の横幅を前方空間よりも広げると共に指先幅相当に形成すれば、収容溝の前方空間の左右でベースの上面の座面領域を稼ぐことができると共に、ピンの左右端部の支持を確保できる。その上、収容溝の後方空間を指先幅程度としてあるので、揺動レバーを操作しやすい。従って、小型化してもクランプの機能を充分に発揮できる。
【発明を実施するための最良の形態】
【００１３】
測定用クランプは、図１〜図８に示すように、直方体形状のベース１と、ベース１の不動顎１１に対して上下動する可動顎２と、可動顎２を上下動する揺動レバー３と、揺動レバー３をベース１に支持するピン４と、可動顎２を不動顎１１に押付けるスプリング５を構成部品としてある。
【００１４】
測定用クランプは、直方体形状のベース１の前面（不動顎１１の形成面）をワークＷの挟持面とし、それ以外の五面を座面とするもので、可動顎２、揺動レバー３、ピン４、およびスプリング５をベース１の内部に収容し、可動顎２の前部を不動顎１１に合わせてベース１の前側の平面よりも前方に突出してある。
【００１５】
測定用クランプは、ベース１の内部に可動顎２を上下動可能に収容し、ベース１の内部であって可動顎２の後ろ側には揺動レバー３をピン４で上下に揺動可能に支持し、揺動レバー３の揺動運動を可動顎２の上下動に変換する変換部６を、可動顎２の後部と揺動レバー３の前端部に設け、揺動レバー３の後部とベース１の後部との上下間にスプリング５を収縮した状態で収容するものである。
【００１６】
ベース１は、メインボディ１２と、サブボディ１３を構成部品とし、メインボディ１２の前面にサブボディ１３をボルト等で組み付け、全体として直方体形状に形成してある。ベース１は、その上面であって横幅方向中央部に収容溝１４を前後に沿って形成してある。ベース１は、横幅全長を指先幅よりも広く設定し、収容溝１４の後方空間を左右に広がる指先幅相当に設定してある。
【００１７】
ベース１は、収容溝１４の後方空間の前後中間部に、スプリング５の下部を収容する下穴１５を、下向きにあけてある。ベース１は、収容溝１４の前方空間の前後中間部に、可動顎２の下部のスライダー２２を案内するガイド孔１６を下向きにあけてある。ベース１は、左右側面を貫通するピンホールＨが、収容溝１４の前後中間部箇所にあけてある。
【００１８】
ベース１は、前面の横幅中間部に不動顎１１を前方に突出してある。不動顎１１は、収容溝１４の横幅よりも左右に幅狭であって、その上面を収容溝１４の底面と面一な挟持面としてある。
【００１９】
ベース１の前面以外は座面となる。ベース１の上面は、収容溝１４を境にして左右に分かれた平面であり、各々、幅広の前部の後方外側に幅狭の後部が連続した形態となっている。ベース１の左右側面は、矩形の平面となっている。ベース１の後面は、上向きに開くコ字型の平面である。ベース１の底面は、矩形の平面である。
【００２０】
ベース１は、前面の左右に、六角穴付きのボルトでサブボディ１３とメインボディ１２を一体化するボルト穴を、上下に離してあけてある。メインボディ１２とサブボディ１３は、下穴１５、ガイド孔１６、および不動顎１１等を分けて形成してある。
【００２１】
可動顎２は、顎本体２３の前部底面を挟持面とし、顎本体２３の後部にスライダー２２を下方に垂下し、溝状の凹部２１を後面上部であって左右に沿って形成してある。
【００２２】
揺動レバー３は、その前側下部を前方に突出して凸部３１とし、後側底面にスプリング５の上部を収容する上穴３２をあけ、凸部３１と上穴３２の間には、ピン４を通す抜穴３３を左右に貫通してあけてある。
【００２３】
変換部６は、遊びのある状態で嵌まり合う凹部２１と凸部３１であって、揺動レバー３の前部と可動顎２の後部に分けて形成してある。
【００２４】
ピン４は、ベース１の一側面からピンホールＨに圧入し、揺動レバー３の抜穴３３を通して、反対側面に圧入して固定する。
【００２５】
スプリング５は、コイルスプリングであって、収縮した状態で揺動レバー３の後部（先部）に上方へ押し込む力を与え、最終的には可動顎２を不動顎１１に押し込んで、ワークＷを挟持する力を与える。
【００２６】
ワークＷは、前述したように薄肉物であって、例えば携帯電話の部品などのように0.05〜1.30ｍｍ程度を想定してある。
【００２７】
上述した測定用クランプは、図２（イ）〜（ハ）に示すように、ワークＷを不動顎１１と可動顎２の間に挟んでも、前面以外の面を座面とすることができ、多様な姿勢でワークＷの測定をすることができる。
【００２８】
別の測定用クランプは、図９に示すように、ベース１を一体成形品で形成したものである。これによって、ベース１の座面としての精度が向上する。また、ワークＷの後端面をベース１の前面に押し当ててクランプすることによって、ワークＷの前面が測定の基準面となる。
【００２９】
さらに別の測定用クランプは、図１０〜図１２に示すように、可動顎２の後部の左右端部を、可動顎２の前部および揺動レバー３よりも左右に突出することによってスライダー２２の一部とし、スライダー２２を上下に幅広に形成し、可動顎２の左右端部を外側からガイド孔１６でコ字型に囲んでいる。つまり、ガイド孔は１６、ベース１の上下面を貫通するものである。また、スライダー２２は、その下部にネジ孔４１を前後方向に沿ってあけ、ネジ孔４１にガタ付き防止用のボールプランジャ４２を捩じ込み、内部のコイルバネ４３の力によってプランジャねじ４４の先端からボール４５の一部を突出し、ボール４５をガイド孔１６に接触させることによってガイド孔１６内でのスライダー２２のガタツキを防止し、スライダー２２の上下方向の直進精度を向上してある。
【００３０】
上記測定用クランプの変形例は図１５に示すように、ガタ付き防止用のボールプランジャ４２をスライダー２２に対して左右対称的に設けると共に、ボールプランジャ４２のボールとは反対面側に掘り込み穴４８を左右に沿って形成し、掘り込み穴４８にローラー４９をその一部が突出する状態で収容し、ローラー４９の回転を利用することによってガイド孔１６内でスライダー２２の後面を面接触させずに上下動可能に設けたものである。
【００３１】
さらに別の測定用クランプは、図１３、図１４に示すように、ベース１、不動顎１１、及び可動顎２の横幅を広く形成したものである。この場合、揺動レバー３の左右の下側にスプリング５を配置し、左右に均等に力が加わるようにしてある。また、場合によっては、ワークＷのクランプ状態をロックできるようにするために、ベース１の底面に別のネジ孔４６を収容溝１４に向かってあけ、ネジ孔４６にロックねじ４７を捩じ込んで、ロックねじ４７の先端部で揺動レバー３の先端部底面側を押し上げ、可動顎２を不動顎１１と平行に保持する。
【図面の簡単な説明】
【００３２】
【図１】（イ）〜（へ）図は測定用クランプの底面図、前面図、平面図、後面図、右側面図、Ａ−Ａ線断面図である。
【図２】（イ）〜（ハ）図はワークを掴んだ状態を示す説明図である。
【図３】（イ）〜（ホ）図はベースの前面図、平面図、後面図、右側面図、Ａ−Ａ線断面図である。
【図４】（イ）〜（ヘ）図はメインボディの前面図、平面図、後面図、Ｂ−Ｂ線断面図、右側面図、Ａ−Ａ線断面図である。
【図５】（イ）〜（ハ）図はサブボディの前面図、平面図、右側面図である。
【図６】（イ）〜（ニ）図は可動顎の前面図、平面図、後面図、右側面図である。
【図７】（イ）〜（ヘ）図は揺動レバーの底面図、前面図、平面図、後面図、右側面図、Ａ−Ａ線断面図である。
【図８】測定用クランプの組み付け状態を示す斜視図である。
【図９】別の測定用クランプを示す斜視図である。
【図１０】別の測定用クランプを示す斜視図である。
【図１１】（イ）〜（ハ）図は、図１０の測定用クランプの平面図、Ａ−Ａ線断面図、Ｂ−Ｂ線断面図である。
【図１２】ボールプランジャを示す断面図である。
【図１３】別の測定用クランプを示す斜視図である。
【図１４】（イ）（ロ）図は、図１３の測定用クランプの平面図、後面図である。
【図１５】図１０〜図１２の測定用クランプの変形例を示す断面図である。
【符号の説明】
【００３３】
１ベース、２可動顎、３揺動レバー、４ピン、５スプリング、６変換部、
１１不動顎、１２メインボディ、１３サブボディ、１４収容溝、１５下穴、
１６ガイド孔、Ｈピンホール、２１凹部、２２スライダー、２３顎本体、
３１凸部、３２上穴、３３抜穴
４１ネジ孔、４２ボールプランジャ、４３コイルバネ、４４プランジャねじ、
４５ボール、４６ネジ孔、４７ロックねじ、４８掘り込み穴、４９ローラー、
【図１】
0005179118.tif 000002
【図２】
0005179118.tif 000003
【図３】
0005179118.tif 000004
【図４】
0005179118.tif 000005
【図５】
0005179118.tif 000006
【図６】
0005179118.tif 000007
【図７】
0005179118.tif 000008
【図８】
0005179118.tif 000009
【図９】
0005179118.tif 000010
【図１０】
0005179118.tif 000011
【図１１】
0005179118.tif 000012
【図１２】
0005179118.tif 000013
【図１３】
0005179118.tif 000014
【図１４】
0005179118.tif 000015
【図１５】
0005179118.tif 000016